(57)【要約】【課題】  クリップ掛け時に、軸筒の前端開口から突出する筆記芯体を、確実に軸筒内に収容させることができ、衣服を汚す虞れがないようにする。【解決手段】  軸筒２の外周部に、クリップホルダ１５を介して開閉自在に軸支され、前半部３ａが、付勢手段１９により、軸筒２に当接する状態となるように、閉じ方向に付勢されたクリップ３を備える。軸筒後部２ｂの開孔８、９から露出させた操作部材１０、１１をスライド操作することにより、軸筒２内に収容した筆記芯体４、５の前端部４ａ、５ａを、軸筒２の前端開口２ｂから突出させることができ、かつこの筆記芯体４、５の芯出し状態を係止手段１４Ａ、１４Ｂにより維持しうるようにする。係止手段１４Ａ、１４Ｂを、付勢手段１９に抗するクリップ３の開き方向の操作に応動により、解除して、筆記芯体４、５の前端部４ａ、５ａを軸筒２内に収容しうるようにする。【選択図】  図２
2008254316.tif 000002
【特許請求の範囲】
【請求項１】
軸筒の外周部に、クリップホルダを介して開閉自在に軸支され、前半部が、付勢手段により、軸筒に当接する状態となるように、閉じ方向に付勢されたクリップを備えるとともに、軸筒後部の開孔から露出させた操作部材をスライド操作することにより、軸筒内に収容した筆記芯体の前端部を、軸筒の前端開口から突出させることができ、かつこの筆記芯体の芯出し状態を係止手段により維持しうるようにした筆記具において、
前記係止手段による芯出し状態を、前記付勢手段に抗するクリップの開き方向の操作により解除して、筆記芯体の前端部を軸筒内に収容しうるようにしたことを特徴とする筆記具。
【請求項２】
軸筒内に、クリップの開き方向の操作に応動する解除突起を臨ませるとともに、この解除突起の押動をもって、前記係止手段による芯出し状態を解除しうるようにしたことを特徴とする請求項１記載の筆記具。
【請求項３】
解除突起を、クリップの開き方向の操作に応動する弾性変形可能な押し板に形成したことを特徴とする請求項２記載の筆記具。
【請求項４】
クリップホルダを、クリップの開き方向の操作に追従して連動させるとともに、このクリップホルダに押し板を応動させるようにしたことを特徴とする請求項３記載の筆記具。
【請求項５】
押し板を、クリップホルダの軸筒と対向する面に当接させて配置したことを特徴とする請求項３または４記載の筆記具。
【発明の詳細な説明】
【技術分野】
【０００１】
本発明は、軸筒後端の操作部材のスライド操作により筆記芯体の前端部を出没させるようにした筆記具に関する。
【背景技術】
【０００２】
従来の筆記具、例えば多色ボールペンにおいては、複数色の筆記芯体であるリフィールを軸筒内に備え、選択された一つの軸筒後端の操作部材を軸線方向へスライド操作することにより、操作部材が、解除手段をもって解除可能な係止手段により係止されて、軸筒内に収容されたリフィールの前端部を、軸筒の前端開口から突出させて維持しうるように出没させたものが公知である（特許文献１）。
【０００３】
しかし、特許文献１に記載のものは、使用後に、解除手段を操作せずに、リフィールの前端部を、軸筒の前端開口から突出させたままの状態で、使用者のポケット等にクリップ掛けして収容することがあり、衣服を汚す虞れがある。
また、解除手段を、軸筒の外周面に開口した窓孔から露出させた押ボタン部によって操作しうるようになっているため、窓孔から塵や埃等が軸筒内に侵入し易いという問題があった。
【特許文献１】特許第３１６８２００号公報
【発明の開示】
【発明が解決しようとする課題】
【０００４】
本発明は、前記の現状に鑑み、クリップ掛け時に、軸筒の前端開口から突出する筆記芯体を、確実に軸筒内に収容させることができ、衣服を汚す虞れがないようにした筆記具を提供することを目的とする。
【課題を解決するための手段】
【０００５】
本発明によると、上記課題は、次のようにして解決される。
(１)  軸筒の外周部に、クリップホルダを介して開閉自在に軸支され、前半部が、付勢手段により、軸筒に当接する状態となるように、閉じ方向に付勢されたクリップを備えるとともに、軸筒後部の開孔から露出させた操作部材をスライド操作することにより、軸筒内に収容した筆記芯体の前端部を、軸筒の前端開口から突出させることができ、かつこの筆記芯体の芯出し状態を係止手段により維持しうるようにした筆記具において、前記係止手段による芯出し状態を、前記付勢手段に抗するクリップの開き方向の操作により解除して、筆記芯体の前端部を軸筒内に収容しうるようにする。
【０００６】
（２）  上記（１）項において、軸筒内に、クリップの開き方向の操作に応動する解除突起を臨ませるとともに、この解除突起の押動をもって、前記係止手段による芯出し状態を解除しうるようにする。
【０００７】
（３）  上記（２）項において、解除突起を、クリップの開き方向の操作に応動する弾性変形可能な押し板に形成する。
【０００８】
（４）  上記（３）項において、クリップホルダを、クリップの開き方向の操作に追従して連動させるとともに、このクリップホルダに押し板を応動させるようにする。
【０００９】
（５）  上記（３）項または（４）項において、押し板を、クリップホルダの軸筒と対向する面に当接させて配置する。
【発明の効果】
【００１０】
本発明によると、次のような効果を奏することができる。
請求項１記載の発明によれば、係止手段による芯出し状態を、付勢手段に抗するクリップの開き方向の操作により、解除して、筆記芯体の前端部を軸筒内に収容しうるようにしてあるため、使用後、筆記芯体の芯出し状態におけるクリップ掛け時に、クリップを開き方向に操作するだけで、軸筒の前端開口から突出する筆記芯体を、確実に軸筒内に収容させることができ、衣服を汚す虞れがない。
【００１１】
請求項２記載の発明によれば、軸筒内に、クリップの開き方向の操作に応動する解除突起を臨ませるとともに、この解除突起の押動をもって、係止手段による芯出し状態を解除しうるようにしてあるため、係止手段による芯出し状態の解除を簡易な構造によって行うことができる。
【００１２】
請求項３記載の発明によれば、解除突起を、クリップの開き操作に応動させた弾性変形可能な押し板に形成してあるため、解除突起を容易に押動させることができる。
【００１３】
請求項４記載の発明によれば、クリップホルダを、クリップの開き方向の操作に追従して連動させるとともに、このクリップホルダに押し板を応動させるようにしているため、押し板を確実に弾性変形させることができる。
【００１４】
請求項５記載の発明によれば、押し板を、クリップホルダの軸筒と対向する面に当接させて配置してあるため、クリップの開閉動作を押し板に確実に伝達することができる。
【発明を実施するための最良の形態】
【００１５】
以下、本発明の実施形態を、２色式のボールペンを例にして、詳細に説明する。
図１は、本発明の一実施形態における筆記具の筆記芯体の収容状態を示す側面図、図２は、同じく、縦断側面図、図３は、図２におけるＩＩＩ−ＩＩＩ線断面図、図４は、クリップを除いて示す図３におけるＩＶ−ＩＶ線断面図である。
【００１６】
図１に示すように、本発明のボールペン１は、軸筒２と、この軸筒２の外周部に設けたクリップ３とを備えている。
【００１７】
軸筒２内には、図２および図３に示すように、黒色、赤色等の２色の、それぞれ異なるインクが充填された２本の筆記芯体としてのリフィール４、５が並列に収容されている。
【００１８】
各リフィール４、５の後端には、ノック棒６、７が装着されている。各ノック棒６、７の後端には、軸筒２における後部２ｂの外周部に、軸線方向に沿って設けた開孔８、９から、外部に向けて露出させた操作部材１０、１１が取り付けられている。
【００１９】
各リフィール４、５は、コイルスプリング１２、１３によって、軸線方向の後方に向けて付勢されている。
【００２０】
各ノック棒６、７間には、図４に示すように、それぞれの操作部材１０、１１を、開孔８、９に沿って前方に向けてスライド操作した際の、リフィール４、５の芯出し状態を係止する、既知の係止手段である係止機構１４Ａ、１４Ｂが、それぞれ対向させて組み付けられている。
【００２１】
図５は、筆記芯体の芯出し状態を示す断面図、図６は、筆記芯体の芯出し状態における解除操作を、クリップを除いて示す図５のＶＩ−ＶＩ線断面図である。
【００２２】
係止機構１４Ａ、１４Ｂは、図５に示すように、いずれかの操作部材１０、１１を、コイルスプリング１２、１３の付勢力に抗して、前方に向けてスライド操作することよって、リフィール４、５のいずれかの前端部４ａ、５ａを、軸筒２の前端開口２ａから突出させた際に、その芯出し状態を維持するためのものである。
【００２３】
係止機構１４Ａ、１４Ｂは、軸筒２内に収容する一方のリフィール４の操作部材１０を、軸線方向の前方に向けて、コイルスプリング１２の付勢力に抗してスライド操作することによって、他方のリフィール５の係止機構１４Ａ、１４Ｂによる芯出し状態を解除する。
【００２４】
これにより、他方のリフィール５は、図３に示すように、コイルスプリング１３の付勢力により、軸筒２内に収容されるようになっている。
また、操作部材１０の更なる前方へのスライド操作によって、一方のリフィール４の前端部４ａを軸筒２の前端開口２ａから突出させて、その芯出し状態を維持しうるようになっている。
【００２５】
クリップ３は、図２および図４に示すように、軸筒２の外周部にクリップホルダ１５をもって、軸筒２に軸支されている。
このクリップホルダ１５は、前後方向に延びるホルダ基台１６と、このホルダ基台１６の左右両側部に立設した左右１対の支持片１７、１７とにより形成されている。
【００２６】
クリップ３は、軸１８、１８によって、クリップホルダ１５の支持片１７、１７間に回動自在に軸支され、上下方向に開閉自在になっているとともに、ホルダ基台１６に組み付けた板ばね１９の付勢力により、軸筒２に対して閉じる方向、すなわちクリップ３の前半部３ａが、軸筒２に当接する状態となるように付勢されている。
【００２７】
ホルダ基台１６は、その前端部１６ａに、前方に向けてＬ字形に屈曲させて形成した係合突起２０を、軸筒２の外周部に開口した係合孔２１に係合させることにより、ホルダ基台１６の後端部１６ｂが片持ち状態で浮上支持されるようになっている。
【００２８】
ホルダ基台１６の後端部１６ｂは、図２に想像線で示すように、板ばね１９の付勢力に抗する、軸筒２に対するクリップ３の開き方向の操作、すなわちクリップ３の後端部３ｂを、下方に向けて回動させることにより、クリップ３の前半部３ａを、軸筒２から離間する状態となる、上方に向けて回動しうる操作に追従して連動させ、軸筒２の外周部における係合孔２１の後方に開口した開口部２２に向けて沈み込むように応動しうるようになっている。
【００２９】
ホルダ基台１６の軸筒２と対向する面には、ホルダ基台１６の沈込み動作に応動しうるように弾性変形可能な押し板２３が当接させて配置されている。
【００３０】
押し板２３は、その前端部２３ａに形成した係合突起２４を軸筒２の外周部に開口した係合孔２５に係合させることにより、前記開口部２２を外側から被覆しうるように取り付けられている。
【００３１】
押し板２３の前後方向における下面中央部には、押し板２３と共に解除手段を構成する解除突起２６が、前記開口部２２を通して軸筒２内に臨むように設けられている。
【００３２】
この解除突起２６は、図６において、矢印Ｐによって示すように、クリップ３の軸筒２に対する開き方向の操作による押圧により、クリップホルダ１５を介して応動する押し板２３を、係止手段１４Ａ、１４Ｂに向けて撓むように、弾性変形させる作用をなす。
これにより、押し板２３が弾性変形して、係止手段１４Ｂを押動すると、軸筒２の前端開口２ａから芯出し状態にある、たとえばリフィール５の係止手段１４Ｂによる係止が解除され、リフィール５が軸筒２内に収容させられる。
【００３３】
なお、上記の実施形態においては、解除手段を、押し板２３と解除突起２６とにより構成したが、押し板２３を除いて、クリップホルダ１５におけるホルダ基台１６の軸筒２と対向する面に解除突起２６を設けるようにしてもよい。
これにより、解除手段の構造を、より簡素化することができる。
【図面の簡単な説明】
【００３４】
【図１】本発明の一実施形態における筆記具の筆記芯体の収容状態を示す側面図である。
【図２】同じく、縦断側面図である。
【図３】図２におけるＩＩＩ−ＩＩＩ線断面図である。
【図４】クリップを除いて示す図３におけるＩＶ−ＩＶ線断面図である。
【図５】筆記芯体の芯出し状態を示す断面図である。
【図６】筆記芯体の芯出し状態における解除操作をクリップを除いて示す図５のＶＩ−ＶＩ線断面図である。
【符号の説明】
【００３５】
１    ボールペン（筆記具）
２    軸筒
２ａ  前端開口
２ｂ  後部
３    クリップ
３ａ  前半部
３ｂ  後端部
４    リフィール（筆記芯体）
４ａ  前端部
５    リフィール（筆記芯体）
５ａ  前端部
６、７  ノック棒
８、９  開孔
１０、１１  操作部材
１２、１３  コイルスプリング
１４Ａ、１４Ｂ  係止機構（係止手段）
１５  クリップホルダ
１６  ホルダ基台
１６ａ  前端部
１６ｂ  後端部
１７  支持片
１８  軸
１９  板ばね（付勢手段）
２０  係合突起
２１  係合孔
２２  開口部
２３  押し板（解除手段）
２３ａ  前端部
２４  係合突起
２５  係合孔
２６  解除突起（解除手段）
【図１】
2008254316.tif 000003
【図２】
2008254316.tif 000004
【図３】
2008254316.tif 000005
【図４】
2008254316.tif 000006
【図５】
2008254316.tif 000007
【図６】
2008254316.tif 000008